【手続補正書】
【提出日】平成23年10月18日(2011.10.18)
【手続補正１】
【補正対象書類名】特許請求の範囲
【補正対象項目名】全文
【補正方法】変更
【補正の内容】
【特許請求の範囲】
【請求項１】
始動条件の成立により遊技者に有利な特別遊技に関する抽選をおこなう抽選手段と、
前記抽選手段の抽選結果に基づいて、前記抽選結果を示すために複数種類の図柄により構成された図柄列の変動態様を選択する変動態様選択手段と、
前記変動態様選択手段によって選択された前記変動態様で前記図柄列を変動表示させた後に前記抽選結果を示す図柄で停止表示させる図柄制御手段と、
前記図柄制御手段による前記図柄列の変動表示中に所定の演出をおこなう演出実行手段と、
を備え、
前記演出実行手段は、
複数種類のモード演出のうち１のモード演出を選択するモード演出選択手段と、
前記モード演出選択手段により選択された前記モード演出を前記図柄制御手段による複数回の前記図柄列の変動表示にわたっておこなうモード演出実行手段と、
を有し、
前記図柄制御手段は、
前記複数種類の図柄のうち１の図柄を選択する図柄選択手段と、
前記変動態様選択手段によって特定の変動態様が選択された場合、変動させた前記図柄列を前記図柄選択手段により選択された図柄で一旦停止表示させた後に再度変動表示させてから前記抽選結果を示す図柄で停止表示させる連続変動制御手段と、
を有し、
前記図柄選択手段は、
前記モード演出実行手段によりおこなわれているモード演出に応じて異なる図柄を選択することを特徴とする遊技機。
【請求項２】
始動条件の成立により遊技者に有利な特別遊技に関する抽選をおこなう抽選手段と、
前記抽選手段の抽選結果に基づいて、前記抽選結果を示すために複数種類の図柄により構成された図柄列の変動態様を選択する変動態様選択手段と、
前記変動態様選択手段によって選択された前記変動態様で前記図柄列を変動表示させた後に前記抽選結果を示す図柄で停止表示させる図柄制御手段と、
前記図柄制御手段による前記図柄列の変動表示中に所定の演出をおこなう演出実行手段と、
前記図柄列の変動表示中に前記始動条件が成立すると、前記特別遊技に関する抽選を受けるための権利を記憶する記憶手段と、
前記記憶手段によって記憶された権利による前記特別遊技に関する抽選の抽選結果を判定する事前判定手段と、
を備え、
前記演出実行手段は、
前記事前判定手段の判定結果に基づいて、複数種類のモード演出のうち１のモード演出を選択するモード演出選択手段と、
複数回の前記図柄列の変動表示にわたって前記モード演出選択手段により選択された前記モード演出をおこなうモード演出実行手段と、
を有し、
前記図柄制御手段は、
前記複数種類の図柄のうち１の図柄を選択する図柄選択手段と、
前記モード演出実行手段による前記モード演出において前記図柄列を前記図柄選択手段により選択された図柄で停止表示させる連続変動制御手段と、
を有し、
前記図柄選択手段は、
前記モード演出実行手段によりおこなわれているモード演出に応じて異なる図柄を選択することを特徴とする遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００１
【補正方法】変更
【補正の内容】
【０００１】
この発明は、遊技球の始動口への入賞を契機に、表示手段を用いた演出をおこなう遊技機に関する。
【手続補正４】
【補正対象書類名】明細書
【補正対象項目名】０００６
【補正方法】変更
【補正の内容】
【０００６】
この発明は、上述した従来技術による問題点を解消するため、演出モードに応じたチャンス目を設定することで、遊技者にチャンス目を容易に認識させ、遊技性の向上を図ることのできる遊技機を提供することを目的とする。
【手続補正５】
【補正対象書類名】明細書
【補正対象項目名】０００７
【補正方法】変更
【補正の内容】
【０００７】
上述した課題を解決し、目的を達成するため、本発明は以下の構成を採用した。本発明にかかる遊技機は、始動条件の成立により遊技者に有利な特別遊技に関する抽選をおこなう抽選手段と、前記抽選手段の抽選結果に基づいて、前記抽選結果を示すために複数種類の図柄により構成された図柄列の変動態様を選択する変動態様選択手段と、前記変動態様選択手段によって選択された前記変動態様で前記図柄列を変動表示させた後に前記抽選結果を示す図柄で停止表示させる図柄制御手段と、前記図柄制御手段による前記図柄列の変動表示中に所定の演出をおこなう演出実行手段と、を備え、前記演出実行手段は、複数種類のモード演出のうち１のモード演出を選択するモード演出選択手段と、前記モード演出選択手段により選択された前記モード演出を前記図柄制御手段による複数回の前記図柄列の変動表示にわたっておこなうモード演出実行手段と、を有し、前記図柄制御手段は、前記複数種類の図柄のうち１の図柄を選択する図柄選択手段と、前記変動態様選択手段によって特定の変動態様が選択された場合、変動させた前記図柄列を前記図柄選択手段により選択された図柄で一旦停止表示させた後に再度変動表示させてから前記抽選結果を示す図柄で停止表示させる連続変動制御手段と、を有し、前記図柄選択手段は、前記モード演出実行手段によりおこなわれているモード演出に応じて異なる図柄を選択することを特徴とする。
【手続補正６】
【補正対象書類名】明細書
【補正対象項目名】０００８
【補正方法】変更
【補正の内容】
【０００８】
また、本発明にかかる遊技機は、始動条件の成立により遊技者に有利な特別遊技に関する抽選をおこなう抽選手段と、前記抽選手段の抽選結果に基づいて、前記抽選結果を示すために複数種類の図柄により構成された図柄列の変動態様を選択する変動態様選択手段と、前記変動態様選択手段によって選択された前記変動態様で前記図柄列を変動表示させた後に前記抽選結果を示す図柄で停止表示させる図柄制御手段と、前記図柄制御手段による前記図柄列の変動表示中に所定の演出をおこなう演出実行手段と、前記図柄列の変動表示中に前記始動条件が成立すると、前記特別遊技に関する抽選を受けるための権利を記憶する記憶手段と、前記記憶手段によって記憶された権利による前記特別遊技に関する抽選の抽選結果を判定する事前判定手段と、を備え、前記演出実行手段は、前記事前判定手段の判定結果に基づいて、複数種類のモード演出のうち１のモード演出を選択するモード演出選択手段と、複数回の前記図柄列の変動表示にわたって前記モード演出選択手段により選択された前記モード演出をおこなうモード演出実行手段と、を有し、前記図柄制御手段は、前記複数種類の図柄のうち１の図柄を選択する図柄選択手段と、前記モード演出実行手段による前記モード演出において前記図柄列を前記図柄選択手段により選択された図柄で停止表示させる連続変動制御手段と、を有し、前記図柄選択手段は、前記モード演出実行手段によりおこなわれているモード演出に応じて異なる図柄を選択することを特徴とする。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１６
【補正方法】変更
【補正の内容】
【００１６】
本発明にかかる遊技機によれば、遊技者に対し、演出モードに対応した図柄にて違和感を与えることなくチャンスが到来したことを明確に報知できるので、遊技者の期待感を高揚させることができ、遊技性を向上させることができる。
【手続補正１４】
【補正対象書類名】明細書
【補正対象項目名】００１７
【補正方法】変更
【補正の内容】
【００１７】
以下に添付図面を参照して、この発明にかかる遊技機の好適な実施の形態を詳細に説明する。
【手続補正１５】
【補正対象書類名】明細書
【補正対象項目名】０１８３
【補正方法】変更
【補正の内容】
【０１８３】
以上説明したように、本発明の遊技機によれば、遊技者に対し、演出モードに対応した図柄にて違和感を与えることなくチャンスが到来したことを明確に報知するので、遊技者の期待感を高揚させることができ、遊技性を向上させることができる。
【手続補正１６】
【補正対象書類名】明細書
【補正対象項目名】０１８４
【補正方法】削除
【補正の内容】